(57)【要約】【課題】本発明は、不平衡信号を平衡信号に変換する積層型バランに関し小型でバランス度に優れた積層型バランを提供することを目的とする。【解決手段】本発明の積層型バランは、積層型バランを形成する積層体１０における積層方向と直交する一主面１０ａに不平衡入力用の端子７と一方のバランス出力用の端子９ａを配置し、この一主面１０ａと対向する対向面１０ｂにアース接続用の端子８と他方のバランス出力用の端子９ｂを配置する構造とした。【選択図】図２
2009033008.tif 000002
【特許請求の範囲】
【請求項１】
複数の誘電体層を積み重ねた積層体と、この積層体の内層部分に設けた不平衡側の線路と、前記積層体の内層部分に設けて前記不平衡側の線路と結合する平衡側の線路と、前記不平衡側の線路の一端に接続した不平衡入力用の端子と、前記不平衡側の線路の他端に接続したアース接続用の端子と、前記平衡側の線路の両端のそれぞれに接続したバランス出力用の端子とを備え、前記積層体における積層方向と直交する一主面に前記不平衡入力用の端子及び前記一方のバランス出力用の端子を配置し、前記一主面と対向する対向面に前記アース接続用の端子と前記他方のバランス出力用の端子を配置したことを特徴とする積層型バラン。
【請求項２】
積層体における一主面と対向面との間に位置する一側面を積層型バランの実装面とし、この実装面と対向する一側面を天面とし、各端子と線路の接続をビアホールで行うとともに前記ビアホールの位置を各端子の天面側に配置したことを特徴とする請求項１に記載の積層型バラン。
【請求項３】
積層体における主面と対向面間に位置する一表面を積層型バランの実装面とし、この実装面と対向する一表面を天面とし、前記積層体の内部に各線路以外の内部電極を設け、この内部電極の一部を前記天面に露出させたことを特徴とする請求項１に記載の積層型バラン。
【発明の詳細な説明】
【技術分野】
【０００１】
本発明は、不平衡信号を平衡信号に変換する積層型バランに関する。
【背景技術】
【０００２】
一般的に不平衡信号を平衡信号に変換するバラン回路は、図３に示されるように一端が開放端となった１／２波長のストリップライン１で不平衡側の線路を形成し、一端が接地され他端がバランス端子に接続された一対の１／４波長のストリップライン２で不平衡側の線路に結合する平衡側の線路を形成する構成や、この構成とは別に図４に示されるように一端が接地されたインダクタ線路３で不平衡側の線路を形成し、両端がそれぞれバランス出力用の端子に接続したインダクタ線路４で不平衡側の線路に結合する平衡側の線路を形成する構成が知られている。
【０００３】
なお、この出願の発明に関する先行技術文献情報としては、例えば、特許文献１や特許文献２が知られている。
【特許文献１】特開２００２−１９０４１３号公報
【特許文献２】特開平９−２６０１４６号公報
【発明の開示】
【発明が解決しようとする課題】
【０００４】
しかしながら、このようなバランを積層構造化しようとした場合、前者であれば積層体内において１／２波長や１／４波長といった所定のストリップライン長を確保しなければならず小型化に制限が加わってしまうという問題があり、また後者であれば図５に示すように積層体５における積み重ね方向が部品実装面に対して垂直方向となるため、特に平衡側の線路を形成するインダクタ線路４が積層体５の上下方向に巻き回されてしまうため、その結果、インダクタ線路４におけるバランス端子６ａ，６ｂに至るまでの引き回し部分４ａ，４ｂの線路長がインダクタ線路４の一端側と他端側とで異なり、その結果としてバランス度が劣化してしまうという問題があった。
【０００５】
そこで、本発明はこのような問題を解決し、小型でバランス度に優れた積層型バランを提供するものである。
【課題を解決するための手段】
【０００６】
この問題を解決するため本発明は、積層型バランを形成する積層体における積層方向と直交する一主面に不平衡入力用の端子と一方のバランス出力用の端子を配置し、この一主面と対向する対向面にアース接続用の端子と他方のバランス出力用の端子を配置する構造としたのである。
【発明の効果】
【０００７】
本発明によれば、小型でバランス特性に優れた積層型バランを提供することが出来るのである。
【発明を実施するための最良の形態】
【０００８】
以下、本発明の一実施形態について図を用いて説明する。
【０００９】
図１は、不平衡信号を平衡信号に変換するバランを積層構造により実現した積層型バランを示したものであり、その回路構成は上述した図４に示す不平衡入力用の端子７とアース接続用のアース端子８との間を接続するインダクタ線路３で形成した不平衡側の線路と、一対のバランス出力用の端子９ａ，９ｂの間を接続するインダクタ線路４で形成した平衡側の線路により構成されている。
【００１０】
また、この積層構造については図２に示されるように、誘電体セラミクスにガラスを混合させた低温焼成セラミックからなる誘電体層を積層した積層体１０の内層部分にてＡｇ系材料からなる内部電極１１によりインダクタ線路３，４を形成している。なお、インダクタ線路４，３は多層間に配置された内部電極１１をビアホール１２で接続することにより周回構造を形成している。
【００１１】
そして、この積層型バランにおいては、この積層型バランの実装面１０ｃに沿って積層体１０を積み重ねる、すなわち積層体１０における層で構成する面と実装面１０ｃを直交させるとともに、積層体１０の積層方向に位置する一主面１０ａに不平衡入力用の端子７とバランス出力用の端子９ａを配置し、この一主面１０ａと対向する対向面１０ｂにアース接続用の端子８ともう一方のバランス出力用の端子９ｂを配置した構造とし、小型でバランス特性の良い積層型バランとしているのである。
【００１２】
すなわち、この積層型バランは不平衡入力用の端子７とアース接続用の端子８間に接続された不平衡側の線路とバランス出力用の端子９ａ，９ｂ間に接続された平衡側の線路がそれぞれインダクタ線路３，４で形成されていることから、不平衡側の線路と平衡側の線路との結合はインダクタ線路３，４の線路間距離と対向部分の面積により自在に調節出来ることから、従来の技術で述べた図３に示される１／２波長や１／４波長のストリップラインを用いる構造に比べ小型化が可能となる。
【００１３】
また、積層体１０の層で構成された面を実装面１０ｃと直交する構造としたことで、不平衡側の線路や平衡側の線路を形成するインダクタ線路３，４は積層体１０の一主面１０ａから対向面１０ｂの方向に巻き回され、最外層に位置する内部電極１１はビアホール１２を介して積層体の表面である主面或いは対向面に引き出されるため、図５に示す従来のようにインダクタ線路４の両端に設けられる引き出し部分４ａ，４ｂの長さの差を抑制することができ、これにより積層型バランにおけるバランス特性の劣化が抑制出来るのである。
【００１４】
なお、インダクタ線路３，４を形成する内部電極１１の電極面も積層型バランの実装面１０ｃと直交するので、実装面１０ｃと対向する電極面積を減少させることになり、結果的に外部信号に対する干渉を抑制した構造となっている。
【００１５】
また、この積層型バランにおいては、図２に示されたバランス出力用の端子９ａ，９ｂと平衡側のインダクタ線路４との接続といった各端子７，８，９ａ，９ｂと内部電極１１との接続を行うビアホール１２の位置を、積層型バランの実装面１０ｃと対向する一側面を天面１０ｄとして、各端子７，８，９ａ，９ｂの天面１０ｄ側に設けることにより、実装時に生じるハンダの熱収縮応力によるビアホール１２の破断を抑制することが出来るのである。
【００１６】
これは積層型バランを回路基板１３に実装した場合、端子９ａ，９ｂと基板１３との間に実装面側（下端側）から天面側（上端側）に向けて幅が小さくなるハンダフィレット１４が形成され、そのハンダの硬化収縮に伴う応力が端子７，８，９ａ，９ｂを介してビアホール１２に加わることに起因してビアホール１２が破断するものであり、この応力が矢印で示すフィレット幅に比例することからフィレット幅の小さい各端子の上端側にビアホール１２を配置することでビアホール１２に対する引張応力を抑制できるからである。
【００１７】
また、積層体１０の天面１０ｄは層状面であることから、積層体１０の内部に設けられた内部電極１１の一部を露出させることができ、この露出した内部電極１１を外部表示記号として利用することが可能となり、別途外部表示記号を形成する必要がなくなり生産性を高められるのである。
【００１８】
なお、この外部表示記号として利用する内部電極１１はバラン回路を構成する平衡線路や不平衡線路とは異なる浮き電極１１ａとすることが望ましい。
【産業上の利用可能性】
【００１９】
本発明に係る積層型バランは、小型でバランス度が優れるという効果を有し、主として通信機器等に用いられる高周波回路用途において有用となる。
【図面の簡単な説明】
【００２０】
【図１】本発明の一実施形態を示す積層型バランの斜視図
【図２】同積層型バランを実装基板に実装した状態を示す断面図
【図３】従来のバラン回路図
【図４】他のバラン回路図
【図５】同バラン回路を積層化した積層型バランの断面図
【符号の説明】
【００２１】
３  （不平衡側の）線路
４  （平衡側の）線路
７  （入力接続用の）端子
８  （アース接続用の）端子
９ａ，９ｂ  （バランス出力用の）端子
１０  積層体
１０ａ  一主面
１０ｂ  対向面
１０ｃ  実装面
１０ｄ  天面
１２  ビアホール
１１，１１ａ  内部電極
【図１】
2009033008.tif 000003
【図２】
2009033008.tif 000004
【図３】
2009033008.tif 000005
【図４】
2009033008.tif 000006
【図５】
2009033008.tif 000007